(57)【要約】【課題】ラベルエリアを確保しながらも、常に安定して積み重ねられるようにした記録テープカートリッジの提供を課題とする。【解決手段】記録テープＴが巻装された単一のリール１４を回転可能に収容する略矩形状のケース１２と、ケース１２の上面に形成された凹部１３と、ケース１２の下面に立設され、ケース１２を積み重ねたときに、凹部１３に係合するスタッキングリブ１５と、を備えた記録テープカートリッジ１０において、凹部１３内のスタッキングリブ１５が干渉しない位置に、ラベルエリアを規定する突条部６０を形成する。【選択図】　　　図１
2004127342.tif 000002
【特許請求の範囲】
【請求項１】
記録テープが巻装された単一のリールを回転可能に収容する略矩形状のケースと、
前記ケースの上面に形成された凹部と、
前記ケースの下面に立設され、ケースを積み重ねたときに、前記凹部に係合するスタッキングリブと、
を備えた記録テープカートリッジにおいて、
前記凹部内の前記スタッキングリブが干渉しない位置に、ラベルエリアを規定する突条部を形成したことを特徴とする記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。しかして、磁気テープカートリッジのリール及びドライブ装置の巻取リールを同期して回転させることにより、磁気テープにデータを記録したり、磁気テープに記録されたデータの再生ができる。
【０００４】
このような構成の磁気テープカートリッジは、大容量の情報を記録できるにも拘わらず、保存時の収容スペースが小さくて済むようになっている。そして、図８で示すように、複数個の磁気テープカートリッジ７０を積み重ねて保存するときにも、安定して積み重ねられるように、上ケース７２の上面には、ラベルエリアを兼用する凹部７３が形成され、下ケース７４の下面には、その凹部７３の左右両端の壁部７３Ａと前後両端の壁部７３Ｂに係合するスタッキングリブ７５が凸設されている。（例えば、特許文献１参照）。
【０００５】
【特許文献１】
実開平５−３３３８２号公報
【０００６】
【発明が解決しようとする課題】
しかしながら、スタッキングリブ７５が係合する凹部７３は、上記したように、ラベルエリアを兼用しているため、ユーザーがラベルＲを凹部７３内に貼付したときに、前後左右の何れかの端部（壁部）にそのラベルＲが掛かってしまう場合があり、このような場合には、スタッキングリブ７５が充分に凹部７３に係合できず、安定して積み重ねられないという不具合が生じていた。また、ラベルＲを貼付するためだけに用いられるラベルエリアとしては、ここまで広いエリアを必要としていないのが現状である。
【０００７】
そこで、本発明は、ラベルエリアを確保しながらも、常に安定して積み重ねられるようにした記録テープカートリッジを得ることを目的とする。
【０００８】
【課題を解決するための手段】
上記の目的を達成するために、本発明に係る請求項１に記載の記録テープカートリッジは、記録テープが巻装された単一のリールを回転可能に収容する略矩形状のケースと、前記ケースの上面に形成された凹部と、前記ケースの下面に立設され、ケースを積み重ねたときに、前記凹部に係合するスタッキングリブと、を備えた記録テープカートリッジにおいて、前記凹部内の前記スタッキングリブが干渉しない位置に、ラベルエリアを規定する突条部を形成したことを特徴としている。
【０００９】
これによれば、ラベルエリアを貼付する位置が、スタッキングリブが干渉しない位置に突条部によって規定されるので、ユーザーがラベルを貼付する際に、多少ずれた状態で貼付しても、従来のようにラベルによってスタッキングリブの係合が阻害されることはなく、常時安定して記録テープカートリッジを積み重ねることができる。
【００１０】
【発明の実施の形態】
以下、本発明の実施の形態に係る記録テープカートリッジ１０を図１乃至図７に基づいて説明する。まず、最初に、記録テープカートリッジ１０の全体構成を説明し、次いで本発明に係る要部について説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１１】
図１、図２で示すように、記録テープカートリッジ１０は、平面視で略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１２】
そして、上ケース１６及び下ケース１８の周壁１６Ａ、１８Ａの切り取られた角部が磁気テープＴの引き出し用の開口２０とされ、この開口２０から引き出される磁気テープＴの自由端に、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１３】
また、ケース１２の開口２０の内側には、ケース１２内においてリーダーピン２２を位置決め、保持する上下一対のピン保持部２４が設けられている。ピン保持部２４は、図３、図４でも示すように、略半円筒形状をしており、その凹部２４Ａ内に直立した状態のリーダーピン２２の両端部が保持される。そして、ピン保持部２４の外周壁の磁気テープＴ引き出し側は開放しており、リーダーピン２２が出入する出入口となっている。
【００１４】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３（図３、図４参照）に、その基部が挿入されて固定配置されるようになっており、この板ばね２５の二股状の先端部がリーダーピン２２の上下端に係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００１５】
更に、下ケース１８の中央部には、リール１４のリールギア７１（図８（Ｂ）参照）を外部に露出するためのギア開口２６が設けられており、リール１４はリールギア７１がドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１６】
この遊動規制壁２８の開口２０近傍の端部には、内部に位置規制用穴が形成された袋部２８Ａが連設されている。また、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００１７】
また、下ケース１８の右後部には、各記録テープカートリッジ１０毎に、その各種情報を記憶されたメモリーボードＭが設置されるようになっており、下面側から読み取るドライブ装置と、後壁側から読み取るライブラリー装置（複数の記録テープカートリッジ１０を収容し、ドライブ装置に対して自動的に装填・取出をする装置）での検知が可能となるように、後部内壁１８Ｂが所定角度の傾斜面に形成され、メモリーボードＭが支持突起１９により支持されて所定角度に傾斜配置されるようになっている。
【００１８】
また、下ケース１８の左後部には、その記録テープカートリッジ１０への記録可・不可が設定されるライトプロテクト（図示省略）が設けられるようになっており、ライトプロテクトを操作する操作突起（図示省略）が突出する開孔１７が穿設されている。
【００１９】
また、ケース１２の前壁１２Ａの右端部には、開口２０の前縁部を規定する上下一対の短い傾斜壁部３０が設けられている。傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２０】
一方、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２１】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。しかして、上ケース１６におけるビスボス３６の外面は、そのスリット４０から露出するようになっている（図１参照）。
【００２２】
また、このスリット４０は、その上端が単にケース１２の天板（上ケース１６の天板）にて規定されてもよいが、周壁１６Ａの一部を上側に残すことにより、ケース１２の剛性を維持させることができるので、落下等における強度上好ましい。特に、スリット４０を規定する上側の壁が傾斜壁部３４から一体に連設されていると、一層好ましい。
【００２３】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁にも形成され、例えばドライブ装置の引き込み手段が係合する係合部とされたり、その底面（下向きの面）がドライブ装置内での位置決め用の基準面とされたりするようになっている。
【００２４】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁の上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００２５】
また、上ケース１６及び下ケース１８において、開口２０近傍から遊動規制壁２８が最も右壁１２Ｂに接近する部位近傍まで（以下、前半という）と、スリット４０の後端近傍から後壁の近傍まで（以下、後半という）、後述するドア５０の凸部５１を内面側及び外面側の両側方から挟み込むように支持する所定高さ（例えば、１．０ｍｍ〜１．５ｍｍ程度）のガイド壁部４２が立設されている。
【００２６】
このガイド壁部４２は、平面視略円弧状に形成されるとともに、上ケース１６と下ケース１８とではその長さが異なっており、上ケース１６側の方が下ケース１８側よりも後半側が長く形成されている。これは、下ケース１８の後部内壁１８Ｂの右壁１２Ｂ側に、メモリーボードＭを所定角度で傾斜配置しているからである。
【００２７】
また、ガイド壁部４２の後端部は平面視略円弧状に閉塞されており、ドア５０がそれ以上後方へ移動できないように、上下それぞれ最も後側の凸部５１を規制するようになっている。そして、ガイド壁部４２の前端部は開放されており、リーダーピン２２の出入時に、そのリーダーピン２２の出入を妨げないような位置（この図示のものは、ピン保持部２４よりも後方側で、開口２０の開口幅の約半分程度）まで延設されている。
【００２８】
また、傾斜壁部３０の近傍にも、ガイド壁部４２の延長線上に位置するように、後端部が開放されたガイド壁部４１が立設されている。このガイド壁部４１は、その後端部がリーダーピン２２の出入を妨げないように、ピン保持部２４の前端よりも後方側には延設されないようになっており、その間隔（溝幅）は、ガイド壁部４２の間隔（溝幅）よりも若干幅狭になっている。
【００２９】
つまり、ガイド壁部４２の間隔（溝幅）は、ドア５０の成形上のばらつき（曲率のばらつき）を許容するために、若干幅広に形成されており、ドア５０の凸部５１はある程度のガタつきを持った状態でガイド壁部４２内を摺動する。したがって、少なくともガイド壁部４１の間隔（溝幅）をドア５０の凸部５１の幅（後述する突起を含む幅）と略同じ大きさにして、開口２０の閉塞時、その最前の凸部５１がガイド壁部４１内に嵌入されることにより、ドア５０がガタつかずに保持されるようにしている。
【００３０】
また、ガイド壁部４１及び前半のガイド壁部４２は、後半のガイド壁部４２よりも若干低くなるように形成されている。すなわち、例えばガイド壁部４１及び前半のガイド壁部４２の高さは約１ｍｍに形成され、後半のガイド壁部４２の高さは約１．５ｍｍに形成されている。これは、開口２０に、リーダーピン２２をチャックして引き出すドライブ装置側の引出手段が入り込めるスペースを確保するためである。したがって、後述するように、ガイド壁部４１及び前半のガイド壁部４２が低くなっている分、その前半部分（少なくとも開口２０を閉塞する部分）のドア５０の板幅（高さ）が、大きく（高く）なるように形成されている。
【００３１】
更に、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３２】
以上のような上ケース１６と下ケース１８は、開口２０の縁部の近傍に位置する各ビスボス３２、３６に下側から図示しないビスがねじ込まれて固定（接合）される構成である。これによって、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ズレしたりしない構成である。なお、周壁１６Ａ、１８Ａの付き合せ面（開口２０両側のコーナー部）は溶着固定してもよいが、分解性やリサイクル性を考慮すると、ビス止めの方が望ましい。
【００３３】
また、その開口２０は、遮蔽部材としてのドア５０によって開閉されるようになっている。ドア５０は、図２で示すように、ガイド壁部４１と前半のガイド壁部４２を摺動する部分（少なくとも開口２０を閉塞する部分）の板幅（高さ）が開口２０の開口高さと略同一に形成され、それより後側が若干小さく（低く）形成されるとともに、その板長が開口２０の開口幅よりも充分大きく形成されている。そして、所定の円周に沿って移動できるように、板厚方向に湾曲した平面視略円弧状に形成されている。
【００３４】
このドア５０は、その先端部が傾斜壁部３０の内側に入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっている。また、ドア５０は、開口２０を開放する際と反対方向にスライド移動（回動）して開口２０を閉塞するようになっている。
【００３５】
このように、ドア５０は、その移動軌跡である所定の円周に対応した円弧状に湾曲形成されており、その回動中心は、本実施の形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００３６】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後部内壁１８Ｂ側に所定角度で傾斜配置されたメモリーボードＭを回避するために、斜めに切り欠かれている。
【００３７】
また、そのドア５０の上面及び下面には、ガイド壁部４１及びガイド壁部４２のガイド面（互いに対向している内側の面）と、ガイド壁部４１及びガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４１及びガイド壁部４２の高さと略同等の高さ（例えば、ドア５０の板幅が異なる境界部分より前側は約０．５ｍｍ、後側は約１．５ｍｍ）になるように突設されている。なお、最後側の凸部５１が上下対称でないのは、ドア５０の後下部が斜めに切り欠かれていることによる。
【００３８】
また、この凸部５１の先端は断面視（側面視）略円弧状になるように形成され、更に、その両側面には平面視略円弧状あるいは平面視略三角形状等の突起（図示省略）が凸部５１の全高に亘って突設されている。したがって、凸部５１がガイド壁部４２間に挿入されて摺動する際には、その凸部５１の略円弧状の先端だけが上ケース１６内面及び下ケース１８内面に接するので線接触となり、かつ、ガイド壁部４２の互いに対向しているガイド面に対しては、突起の略円弧状等の先端だけが接するので、同様に線接触となる。
【００３９】
これにより、上下の凸部５１と、ガイド壁部４１及びガイド壁部４２間の上ケース１６内面及び下ケース１８内面並びにガイド壁部４１及びガイド壁部４２のガイド面との摺動抵抗（摩擦）を低減することができ、ドア５０を抵抗少なく、スムーズに摺動させることが可能となる構成である。なお、凸部５１が平面視略楕円形状に形成されていると、例えば平面視略円形状に形成されているものよりも耐衝撃性に優れるため、落下等の衝撃により、ドア５０に開閉方向以外から力が加えられても、その凸部５１が折れるような心配はない。
【００４０】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部に最後端側の凸部５１が当接している。
【００４１】
なお、操作突起５２露出用のスリット４０によってケース１２の内外が連通されるが、このスリット４０はビスボス３６と、ケース１２内の略全高に亘るドア５０によって常時ほぼ閉塞され、かつ、内壁としての遊動規制壁２８によって、リール１４に巻装された磁気テープＴへの塵埃等の付着が防止されるようになっている。
【００４２】
また、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設することができる。すなわち、ドア５０の後端近傍の内周面には、支持板５３が一体に突設され、その支持板５３の上面に円柱状の保持突起５４が上方に向かって一体に突設されて、背面視略Ｌ字状のばね保持部が形成されている。
【００４３】
そして、下ケース１８の凹部４８近傍の内面には、円柱状の係止突起５５が上方に向かって突設されており、コイルばね５６の両端にはリング状の取付部５６Ａ、５６Ｂがそれぞれ形成されている。したがって、コイルばね５６は、その一方の取付部５６Ｂを係止突起５５に上方から挿入し、他方の取付部５６Ａを保持突起５４に上方から挿入することにより、上記空間内に簡単に取り付けることができる。
【００４４】
また、上ケース１６には、ドア５０の開閉時に、保持突起５４の上部が摺接するリブ５７が、平面視略円弧状に立設されている。このリブ５７は、少なくともドア５０が移動（開放）し始める際には、保持突起５４が摺接できるような位置及び長さに配設され、コイルばね５６の付勢力に抗して移動する保持突起５４を好適にガイドすることにより、ドア５０がより安定して開放されるように（開放時にドア５０がコイルばね５６の付勢力によってブレないように）している。
【００４５】
また、このリブ５７を設けることにより、上記のようにして取り付けられたコイルばね５６の取付部５６Ａが、落下等による衝撃がケース１２に加えられて保持突起５４を上昇してきても、その保持突起５４から外れないようにできる。なお、係止突起５５側も、その上端が上ケース１６の遊動規制壁２８とガイド壁部４２との間に挿入されることになるので、同様に、取付部５６Ｂが係止突起５５から外れるのを防止することができる。
【００４６】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。また、ガイド壁部４１に入り込むドア５０の前端部内面及び／又は外面は、スムーズに入り込めるようにテーパー面に形成されることが好ましい。
【００４７】
以上のような構成の記録テープカートリッジ１０において、図１、図２、図５で示すように、上ケース１６の上面には、平面視略正方形状に凹んだ凹部１３が形成されている。この凹部１３は、記録テープカートリッジ１０（ケース１２）が安定して積み重ねられるように、下ケース１８の下面に突設された一対のスタッキングリブ１５と係合するようになっており、左右方向の長さがスタッキングリブ１５の左右外側面１５Ａ間の距離Ｗと同じ長さに形成され、前後方向の長さがスタッキングリブ１５の前後方向の長さと同じ長さに形成されている。そして、その深さはスタッキングリブ１５の突出高さと同じ高さになっている。
【００４８】
スタッキングリブ１５は、図３、図６、図７で示すように、下ケース１８の下面に、ケース１２の前後方向（ドライブ装置への装填方向）と平行に、所定の長さ及び幅で２本、所定の間隔を隔てて突設されており、その突出高さは０．５ｍｍ〜１．０ｍｍ程度になっている。そして、記録テープカートリッジ１０（ケース１２）を積み重ねたときに、そのスタッキングリブ１５の左右外側面１５Ａが、凹部１３の左右両端の壁部１３Ａに当接して係合し、スタッキングリブ１５の前後外側面１５Ｂが、凹部１３の前後両端の壁部１３Ｂに当接して係合することにより、記録テープカートリッジ１０（ケース１２）が安定して積み重ねられるようになっている（図５、図６参照）。
【００４９】
また、図５で示すように、凹部１３内のスタッキングリブ１５と干渉しない所定位置、即ちスタッキングリブ１５の左右内側面１５Ｃの間には、ラベルエリアを規定する突条部６０が矩形枠状に凸設されている。この突条部６０は所定幅に形成され、その高さは、図６で示すように、凹部１３の深さ（スタッキングリブ１５の高さ）と同じか、好ましくはそれよりも低く形成されている。したがって、記録テープカートリッジ１０（ケース１２）が積み重ねられたとき、下側の記録テープカートリッジ１０が、その上に積み重ねられた上側の記録テープカートリッジ１０（ケース１２）を下から押し上げるような（干渉するような）不具合はなく、常に安定して記録テープカートリッジ１０（ケース１２）を積み重ねることができる。
【００５０】
そして、図１で示すように、この突条部６０内にラベルＲが貼付されるが、突条部６０で規定されたエリアは、凹部１３と係合するスタッキングリブ１５の左右の外側面１５Ａ側ではなく、左右の内側面１５Ｃの間なので、貼付されたラベルＲの位置が多少ずれて突条部６０に掛かっても、凹部１３に対するスタッキングリブ１５の係合が阻害されることはない。しかも、スタッキングリブ１５は、その突条部６０側の内側面１５Ｃが、図６、図７で示すように、断面視略円弧状に形成されている（面取りされている）ので、記録テープカートリッジ１０を積み重ねるときに、突条部６０のエッジ（外方側の角部）６０Ａを傷つけるような不具合はなく、また、積み重ねられた記録テープカートリッジ１０を取るときにも、貼付位置がずれて突条部６０に掛かっているラベルＲに干渉して、そのラベルＲを剥がしてしまうような不具合は起きない。
【００５１】
なお、突条部６０で規定されたラベルエリアは従来に比べ、かなり小さくなるが、ユーザーが識別用等としてラベルＲを貼付する場合のエリアとしては、この程度の大きさで充分である。また、図示の突条部６０は連続して形成された矩形枠状になっているが、本発明に係る突条部６０は、単にラベルエリアを規定できればよいため、図示の形状に限定されるものではなく、例えば角部が切り離されて不連続となる略矩形枠状等にしてもよい。その他、凹部１３内には、記録テープカートリッジ１０の装填方向等を示す模様１１が形成されているが、この模様１１の突出高さも、上記と同様の理由によって、凹部１３の深さより低く形成されている。
【００５２】
次に、本実施の形態の作用について説明する。上記構成の記録テープカートリッジ１０では、不使用時（保管時や運搬時等）には、開口２０がドア５０によって閉塞されている。具体的には、ドア５０は、コイルばね５６の付勢力によって、常時開口２０閉塞方向へ付勢されており、その先端部（前端部）が傾斜壁部３０近傍のガイド壁部４１に入り込む状態で開口２０を閉塞している。
【００５３】
一方、磁気テープＴを使用する際には、記録テープカートリッジ１０を矢印Ａ方向に沿ってドライブ装置へ装填する。この装填に伴って、ドライブ装置の開閉手段を構成する開閉部材（図示省略）が、前方へ開放しているスリット４０に進入し、ドア５０の操作突起５２に係合する。この状態で、記録テープカートリッジ１０（ケース１２）を更に押し込むと、この押し込み力によってコイルばね５６の付勢力に抗しつつ、開閉部材が操作突起５２を後方へ移動させる（矢印Ａ方向へ装填されるケース１２に対して後方へ相対移動させる）。
【００５４】
すると、その操作突起５２が突設されているドア５０は、凸部５１がガイド壁部４２によって案内されつつ、その湾曲方向に沿って平面視時計方向に回動する。すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放される。
【００５５】
なお、このとき、コイルばね５６の一端が取り付けられる保持突起５４はリブ５７によって好適にガイドされるので、コイルばね５６は平面視でガイド壁部４２とリブ５７との間を好適に伸長する。したがって、コイルばね５６自体の揺動（ブレ）も抑制され、ドア５０はコイルばね５６の付勢力に抗した状態でも安定して（ブレることなく）移動することが可能となり、開口２０を常時安定した状態で開放することができる。
【００５６】
こうして開口２０が開放された状態で記録テープカートリッジ１０がドライブ装置内で位置決めされると、ドア５０はそれ以上の回動（略後方への移動）が規制され、開放された開口２０からはドライブ装置の引出手段がケース１２内に進入し、この引出手段がピン保持部２４に位置決め保持されたリーダーピン２２を抜き出す。このとき、係止ばね２５の先端が適宜弾性変形して、リーダーピン２２のピン保持部２４からの抜き出しを許容する。そして、図示しない巻取リールにリーダーピン２２を収容し、その巻取リールとリール１４とを同期して回転駆動する。すると、磁気テープＴは、巻取リールに巻き取られつつ順次ケース１２から引き出され、所定のテープ経路に沿って配設された記録再生ヘッド等によって情報の記録や再生が行われる。
【００５７】
一方、磁気テープＴがリール１４に巻き戻されて、記録テープカートリッジ１０をドライブ装置から排出する際には、記録テープカートリッジ１０は、位置決め状態が解除され、コイルばね５６の付勢力又は図示しないイジェクト機構によって矢印Ａ方向とは反対方向に移動される。そして、ドア５０は、その凸部５１がガイド壁部４２に案内されつつ、コイルばね５６の付勢力によって開口２０の閉塞方向へ回動する。そして、ドア５０の先端部がガイド壁部４１に入り込むことにより、開口２０が完全に閉塞され、初期状態に復帰する。
【００５８】
ここで、記録テープカートリッジ１０を保存するときなど、複数の記録テープカートリッジ１０（ケース１２）を積み重ねる場合には、上ケース１６の上面に形成された凹部１３の壁部１３Ａ、１３Ｂに、下ケース１８の下面に形成された一対のスタッキングリブ１５の外側面１５Ａ、１５Ｂを係合させて積み重ねるので、安定して積み重ねることができる。また、そのとき、突条部６０によって、スタッキングリブ１５が干渉しない内側面１５Ｃの間にラベルエリアが規定されているので、従来のようにラベルＲを貼付することによって凹部１３とスタッキングリブ１５との係合が阻害されるような不具合は発生しない。しかも、そのスタッキングリブ１５の内側面１５Ｃは断面視略円弧状に形成されているので、ラベルＲが多少ずれて突条部６０に掛かっていても、そのラベルＲに内側面１５Ｃが干渉することはなく、よって、そのラベルＲを剥がしてしまうような不具合は発生しない。
【００５９】
【発明の効果】
以上、何れにしても本発明によれば、ラベルエリアを貼付する位置が、スタッキングリブが干渉しない位置に突条部によって規定されるので、ユーザーが多少ずれた状態でラベルを貼付しても、従来のようにラベルによってスタッキングリブの係合が阻害されるようなことはなく、常時安定して記録テープカートリッジ（ケース）を積み重ねることができる。
【図面の簡単な説明】
【図１】記録テープカートリッジの概略斜視図
【図２】記録テープカートリッジの概略分解斜視図
【図３】下ケースの概略平面図
【図４】上ケースの内側を示す概略平面図
【図５】上ケースの外側を示す概略平面図
【図６】積み重ねられた記録テープカートリッジの凹部とスタッキングリブを示す概略断面図
【図７】スタッキングリブを示す概略断面図
【図８】（Ａ）従来の磁気テープカートリッジを斜め前上から見た概略斜視図
（Ｂ）従来の磁気テープカートリッジを斜め後下から見た概略斜視図
【符号の説明】
１０　記録テープカートリッジ
１２　ケース
１３　凹部
１３Ａ、１３Ｂ　壁部
１４　リール
１５　スタッキングリブ
１５Ａ、１５Ｂ　外側面
１５Ｃ　内側面
１６　上ケース
１８　下ケース
６０　突条部
【図１】
2004127342.tif 000003
【図２】
2004127342.tif 000004
【図３】
2004127342.tif 000005
【図４】
2004127342.tif 000006
【図５】
2004127342.tif 000007
【図６】
2004127342.tif 000008
【図７】
2004127342.tif 000009
【図８】
2004127342.tif 000010